(57)【要約】【課題】無線通信機能を有する画像読取装置において、通信状態の悪化を抑制すること。【解決手段】画像読取装置では、筺体１０内に読取部２４、２５が画像を読み取る際に用いる電子部品が搭載された搭載基板２７と、無線信号を送受信可能な送受信面３１、３２を有する無線通信用基板２８が包含されている。搭載基板２７と無線通信用基板２８は、お互いに直交するように配置されていることから、搭載基板２７に搭載された電子部品から発生された電磁波が無線通信用基板２８の送受信面３１、３２によって受信されにくく、無線通信用基板２８の送受信面３１、３２に送受信される信号が搭載基板２７や電子部品の金属部によって遮られにくい。【選択図】図２
2014195199.tif 000002
【特許請求の範囲】
【請求項１】
筺体と、
主走査方向に画像を読み取る画像読取部と、
一方向に長く、前記画像読取部が前記画像を読み取る際に用いる電子部品が搭載された搭載基板と、
無線信号を送受信可能な送受信面を有する無線通信用アンテナと、
を備え、
前記筺体は、前記画像読取部と前記搭載基板と前記無線通信用アンテナとを包含し、
前記搭載基板は、その長手方向が前記主走査方向と平行となる向きとなるように配置され、
前記無線通信用アンテナは、前記筺体の前記主走査方向の一方の端側の側面壁側に、前記送受信面が前記側壁面に沿って配置される、
画像読取装置。
【請求項２】
請求項１記載の画像読取装置であって、
前記無線通信用アンテナの前記送受信面は、前記搭載基板に沿う方向で、且つ、前記長手方向と直交する方向において、前記画像読取部と異なる位置に設けられる、画像読取装置。
【請求項３】
請求項１または請求項２に記載の画像読取装置であって、
更に、
給紙トレイと、
ローラと、金属製の構成部品を含むモータとを有し、前記給紙トレイに載置された原稿シートを搬送する搬送部と、
を備え、
前記筺体は、前記搬送部を更に包含し、
前記搬送部は、前記モータを駆動して前記ローラを回転させることで前記原稿シートを搬送経路に沿って搬送し、
前記画像読取部は、前記搬送経路上で前記搬送部によって搬送される前記原稿シートの画像を読み取り、
前記モータは、前記筺体内において、前記主走査方向の他方の端側に配置される、画像読取装置。
【請求項４】
請求項１から請求項３のいずれか一項に記載の画像読取装置であって、
更に、
前記筺体の上面側に設けられた表示パネルと、
前記表示パネルの直下に設けられ、前記表示パネルを駆動する表示基板と、
を備え、
前記搭載基板は前記筺体の底面側に設けられる、画像読取装置。
【請求項５】
請求項４記載の画像読取装置であって、
前記搭載基板に垂直な方向は、上下方向に向けられ、
前記電子部品の少なくとも一部は、前記搭載基板の上面側の面に搭載され、
前記無線通信用基板は、前記アンテナが前記上面側の面に搭載された前記電子部品よりも上面側に配置される、画像読取装置。
【請求項６】
請求項５記載の画像読取装置であって、
前記無線通信用基板は、更に、
前記無線信号の送受信を制御するモジュール部、
を有し、
無線通信用アンテナにおいて、前記送受信面は前記モジュール部よりも上面側に配置されている、画像読取装置。
【発明の詳細な説明】
【技術分野】
【０００１】
本明細書に開示される発明は、無線通信機能を有する画像読取装置の構造に関する。
【背景技術】
【０００２】
従来から、無線通信機能を有する装置がある（例えば、引用文献１）。この装置では、板金で構成された側板の一部に切り欠き部を設け、当該切り欠き部にアンテナを有する無線通信用基板を配置することで、側板が板金で構成された装置においても、側板の影響を抑制して外部情報機器との通信状態を確保する技術が開示されている。
【先行技術文献】
【特許文献】
【０００３】
【特許文献１】特開２００６−５６０１７号公報
【発明の概要】
【発明が解決しようとする課題】
【０００４】
しかし、外部情報機器などの外部装置との通信状態は、側板だけでなく、装置内の電子機器からも影響を受けることがある。例えば、装置内には、装置を制御するための基板が設けられており、当該基板は制御等の処理を実行する際に、電磁波を発生させる。基板から発生された電磁波が無線通信用基板のアンテナによって受信されると、無線通信用基板に送受信される信号にノイズが生じ、通信状態が悪化する問題が生じていた。また、基板には、金属を含む部品が搭載されるとともに、基板自体にも配線を形成するための金属が含まれる。無線通信用基板に送受信される信号が基板や部品等に含まれる金属（以下、金属部）によって遮られると、無線通信用基板に送受信される信号の強度が弱まり、通信状態が悪化する問題が生じていた。
【０００５】
本明細書に開示される発明は、無線通信機能を有する画像読取装置において、通信状態の悪化を抑制する技術を開示する。
【課題を解決するための手段】
【０００６】
本明細書によって開示される画像読取装置は、筺体と、主走査方向に画像を読み取る画像読取部と、一方向に長く、前記画像読取部が前記画像を読み取る際に用いる電子部品が搭載された搭載基板と、無線信号を送受信可能な送受信面を有する無線通信用アンテナと、を備え、前記筺体は、前記画像読取部と前記搭載基板と前記無線通信用アンテナとを包含し、前記搭載基板は、その長手方向が前記主走査方向と平行となる向きとなるように配置され、前記無線通信用アンテナは、前記筺体の前記主走査方向の一方の端側の側面壁側に、前記送受信面が前記側壁面に沿って配置される。
【０００７】
この画像読取装置では、無線通信用アンテナの送受信面と電子部品が搭載された搭載基板とが直交して配置され、平行に配置されない。無線通信用アンテナの送受信面が搭載基板に対して直交して配置されることにより、平行に配置される場合に比べて、搭載基板に搭載された電子部品から発生された電磁波が無線通信用アンテナの送受信面によって受信されにくく、無線通信用アンテナの送受信面に送受信される信号が搭載基板や電子部品の金属部によって遮られにくい。また、無線通信用アンテナが側壁面に沿って配置されることにより、相手側のアンテナの向きによらずに通信することが可能となる。そのため、通信状態が悪化するのを抑制することが出来る。
【０００８】
また、上記の画像読取装置では、前記無線通信用アンテナの前記送受信面は、前記搭載基板に沿う方向で、且つ、前記長手方向と直交する方向において、前記画像読取部と異なる位置に設けられる構成としても良い。
【０００９】
この画像読取装置によれば、無線通信用アンテナの送受信面を画像読取部から離れて配置することで、無線通信用アンテナの送受信面に送受信される信号が、画像読取部の金属部によって遮られることを抑制することができる。
【００１０】
また、上記の画像読取装置では、更に、給紙トレイと、ローラと、金属製の構成部品を含むモータとを有し、前記給紙トレイに載置された原稿シートを搬送する搬送部と、を備え、前記筺体は、前記搬送部を更に包含し、前記搬送部は、前記モータを駆動して前記ローラを回転させることで前記原稿シートを搬送経路に沿って搬送し、前記画像読取部は、前記搬送経路上で前記搬送部によって搬送される前記原稿シートの画像を読み取り、前記モータは、前記筺体内において、前記主走査方向の他方の端側に配置される構成としても良い。
【００１１】
この画像読取装置によれば、無線通信用アンテナの送受信面を金属部を含むモータから離れて配置することで、無線通信用アンテナの送受信面に送受信される信号が、画像読取部（モータ含む）の金属部によって遮られることを抑制することができる。
【００１２】
また、上記の画像読取装置では、更に、前記筺体の上面側に設けられた表示パネルと、前記表示パネルの直下に設けられ、前記表示パネルを駆動する表示基板と、を備え、前記搭載基板は前記筺体の底面側に設けられる構成としても良い。
【００１３】
表示パネルは、筺体の上面側に設けられたほうが使用者にとっては利便性が良い。しかし、表示パネルの直下には表示パネルを駆動する表示基板が設けられることから、搭載基板を表示パネルに近接して配置しずらい。また、搭載基板と表示基板とは、お互いに金属部を有しているため、近傍に配置されるとお互いに影響を与える。この画像読取装置では、表示パネルを筺体の上面側に設ける一方、搭載基板を筺体の底面側に設ける。これにより、利便性がよく、且つ、金属部の影響が抑制された画像読取装置を実現することができる。
【００１４】
また、上記の画像読取装置では、前記搭載基板に垂直な方向は、上下方向に向けられ、前記電子部品の少なくとも一部は、前記搭載基板の上面側の面に搭載され、前記無線通信用基板は、前記アンテナが前記上面側の面に搭載された前記電子部品よりも上面側に配置される構成としても良い。
【００１５】
この画像読取装置によれば、無線通信用アンテナの送受信面を電子部品及び搭載基板から離れて配置することで、電子部品から発生された電磁波が無線通信用アンテナの送受信面によって受信されることを抑制することができ、無線通信用アンテナの送受信面に送受信される信号が、電子部品及び搭載基板の金属部によって遮られることを抑制することができる。
【００１６】
また、上記の画像読取装置では、前記無線通信用基板は、更に、前記無線信号の送受信を制御するモジュール部、を有し、無線通信用アンテナにおいて、前記送受信面は前記モジュール部よりも上面側に配置されている構成としても良い。
【００１７】
この画像読取装置によれば、無線通信用アンテナの送受信面をを搭載基板の上面側の面に搭載された電子部品よりも上面側に配置しやすい。
【発明の効果】
【００１８】
本明細書によれば、無線通信機能を有する画像読取装置において、通信状態の悪化を抑制することができる。
【図面の簡単な説明】
【００１９】
【図１】画像読取装置の概略的な斜視図
【図２】上面カバーが閉位置にある状態の画像読取装置の概略的な断面図
【図３】上面カバーが開位置にある状態の画像読取装置の概略的な上面図
【図４】画像読取装置の電気的構成を概略的に示すブロック図
【図５】本実施形態の搭載基板と無線通信用アンテナの位置関係を示す図
【図６】比較例の搭載基板と無線通信用アンテナの位置関係を示す図
【図７】本実施形態の無線通信用アンテナの通信性能を示す図
【図８】比較例の無線通信用アンテナの通信性能を示す図
【発明を実施するための形態】
【００２０】
＜実施形態＞
一実施形態を、図１から図８を用いて説明する。
【００２１】
１．画像読取装置の機械的構成
図１に示すように、画像読取装置１は、給紙トレイ２と、本体部３と、シート排出口４と、を含む。画像読取装置１は、使用者からの画像読取指示により給紙トレイ２に載置された普通紙などのシート原稿ＳＨを矢印５１に示すようにシート排出口４に搬送するとともに、搬送中のシート原稿ＳＨを本体部３に含まれる読取部２４、２５（図２参照）を用いて読み取る。読取部２４、２５は、画像読取部の一例である。
【００２２】
また、本体部３には、後面に設けられたカード導入口５と、カード排出口６と、が設けられている。画像読取装置１は、また、使用者からの画像読取指示によりカード導入口５に挿入された名刺などのカード原稿Ｃをカード排出口６に搬送するとともに、搬送中のカード原稿Ｃを読取部２４、２５を用いて読み取る。
【００２３】
図２に示すように、本体部３は、プラスチック、或は、板金で構成された筺体１０に覆われており、その上面が上面カバー９により覆われている。本体部３の筺体１０内には、給紙トレイ２とシート排出口４を接続する第１搬送経路２２Ａ、及び、カード導入口５とカード排出口６を接続する第２搬送経路２２Ｂが設けられており、これらの搬送経路２２Ａ、２２Ｂの周辺に、給紙ローラ２０と、分離パッド２１と、搬送ローラ２３と、読取部２４、２５の他、シートフロントセンサ（図３参照、以下、シートＦセンサ）６１、カードフロントセンサ（以下、カードＦセンサ）６２、シートリアセンサ（図３参照、以下、シートＲセンサ）６３、カードリアセンサ（以下、カードＲセンサ）６４等の各種センサ、搭載基板２７、無線通信用基板２８、表示基板２９等の各種基板、及びタッチパネル６５、モータＭ（図３参照）を含む。
【００２４】
上面カバー９は、軸９Ａを中心として本体部３に対して開閉可能に構成されている。上面カバー９を開位置へ変位させると、本体部３の上部が開放される。そして、開位置に変位した上面カバー９によって、図１に示す給紙トレイ２の後端部が構成される。
【００２５】
給紙ローラ２０は、モータＭ（図４参照）により回転駆動され、給紙トレイ２に載置されたシート原稿ＳＨに当接し、摩擦力により、給紙トレイ２に載置された複数枚のシート原稿ＳＨを本体部３の内部へと引き込む。分離パッド２１は、摩擦力により、複数枚のシート原稿ＳＨを各シート原稿ＳＨに分離する。給紙トレイ２に載置された複数枚のシート原稿ＳＨは、これらによって、１枚の原稿ＳＨに分離されて本体部３の内部へと引き込まれる。
【００２６】
搬送ローラ２３は、モータＭにより回転駆動され、本体部３の内部へと引き込まれたシート原稿ＳＨを第１搬送経路２２Ａに沿って搬送する。また、搬送ローラ２３は、矢印５２に示すようにカード導入口５に挿入されたカード原稿Ｃに当接し、当該カード原稿Ｃを第２搬送経路２２Ｂに沿って搬送する。搬送経路２２Ａ、２２Ｂに沿って原稿ＳＨ、Ｃが搬送される方向を搬送方向Ｄ１と称す。
【００２７】
図２に示すように、搬送経路２２Ａ、２２Ｂは、その上流側において、上下方向に分離されている一方、その下流側において、第１搬送経路２２Ａの一部が第２搬送経路２２Ｂの一部を兼ねるように、共通化されている。読取部２４、２５は、共通化された共通搬送経路２２上に配置されており、搬送ローラ２３によって共通搬送経路２２内を搬送される原稿ＳＨ、Ｃの画像を読み取る。
【００２８】
また、搬送ローラ２３は、共通搬送経路２２上に搬送された原稿ＳＨ、Ｃを排出口４、６に送り出す。つまり、モータＭや給紙ローラ２０や搬送ローラ２３によって、シート原稿ＳＨを第１搬送経路２２Ａに沿って搬送し、カード原稿Ｃを第２搬送経路２２Ｂに沿って搬送する搬送部２６（図４参照）が形成されている。給紙ローラ２０と搬送ローラ２３は、ローラの一例である。
【００２９】
第１読取部２４は、共通搬送経路２２に沿って下側に配置され、第２読取部２５は、共通搬送経路２２に沿って上側に配置される。読取部２４、２５は、読取位置Ｌ１、Ｌ２において、共通搬送経路２２に沿って搬送される原稿ＳＨ、Ｃを搬送方向Ｄ１に直交する主走査方向Ｄ２（つまり、左右方向）に読み取る。なお、本明細書において、「直交」とは、完全に直交する場合だけでなく、直交に近い状態、例えば、直交角度から数度程度ずれているものも含むものとする。
【００３０】
（各種センサの配置）
次に、各種センサの配置と機能について説明する。
シートＦセンサ６１は、図３に示すように、給紙トレイ２に対向して配置されるとともに主走査方向Ｄ２において中心線５０近傍に配置されており、給紙トレイ２にシート原稿ＳＨが載置されたか否かを検出する。カードＦセンサ６２は、第２搬送経路２２Ｂ上のカード導入口５近傍に配置されており、カード導入口５にカード原稿Ｃが挿入されたか否かを検出する。
【００３１】
シートＲセンサ６３は、図３に示すように、共通搬送経路２２において読取位置Ｌよりも上流側の検出位置Ｙに配置されるとともに主走査方向Ｄ２において中心線５０近傍に配置される。シートＲセンサ６３は、シート原稿ＳＨが共通搬送経路２２上の検出位置Ｙを通過する場合にオン状態となり、検出位置Ｙを通過していない場合にオフ状態に切り換わる。つまり、シートＲセンサ６３は、第１搬送経路２２Ａ上のシート原稿ＳＨの位置を検出する。
【００３２】
また、カードＲセンサ６４は、図３に示すように、共通搬送経路２２においてシートＲセンサ６３と同じ検出位置Ｙに配置されるとともに主走査方向Ｄ２において右端部に配置される。カードＲセンサ６４は、カード原稿Ｃが共通搬送経路２２上の検出位置Ｙを通過する場合にオン状態となり、検出位置Ｙを通過していない場合にオフ状態に切り換わる。つまり、カードＲセンサ６４は、第２搬送経路２２Ｂ上のカード原稿Ｃの位置を検出する。
【００３３】
（各種基板の配置と構成）
次に、各種基板の配置と構成について
図２に示すように、搭載基板２７は、筺体１０の底面側に配置されている。搭載基板２７は、板状をしており、その面に垂直な方向が上下方向となるように配置されている。また、長方形状をしており、その長辺方向が左右方向（つまり、主走査方向）となり、その短辺方向が前後方向となるように配置されている。左右方向は、一方向の一例であり、長手方向の一例である。
【００３４】
図４に示すように、搭載基板２７は、中央処理装置（以下、ＣＰＵ）１１、ＲＯＭ１２、ＲＡＭ１３、基板用電源部１４等の電子部品が搭載されており、例えば、図５に示すように、ＣＰＵ１１、ＲＯＭ１２、ＲＡＭ１３、抵抗等の比較的背の低い電子部品が、搭載基板２７の下面側に搭載され、基板用電源部１４、コネクタ、コンデンサ等の比較的背の高い電子部品が、搭載基板２７の上面側に搭載されている。なお、上記の電子部品の搭載面の振り分けは、一例に過ぎず、電子部品の全てが上面側又は下面側に搭載されてもよい。
【００３５】
ＲＯＭ１２には、画像読取装置１の各部を実行するためのプログラムが記憶されており、ＣＰＵ１１は、ＲＯＭ１２から読み出したプログラムに従って、各部の制御を行う。例えば、ＣＰＵ１１は、ＲＯＭ１２から読み出したプログラムに従って読取部２４、２５を制御し、原稿ＳＨ、Ｃの画像を読み取らせ、生成された読取データをＲＡＭ１３に記憶させる。つまり、搭載基板２７には、読取部２４、２５が画像を読み取る際に用いる電子部品が搭載されているということができる。また、ＣＰＵ１１は、ＲＯＭ１２から読み出したプログラムに従って搬送部２６のモータＭを駆動させ、原稿ＳＨ、Ｃを搬送経路２２Ａ、２２Ｂに沿って搬送させる。基板用電源部１４は、図示されない外部電源に電気的に接続されており、外部電源から上記制御に必要な電力を受け取る。
【００３６】
無線通信用基板２８は、携帯電話などの携帯端末や無線ＬＡＮルーターと無線通信を行うための基板であり、図３に示すように、筺体１０の右側側面壁側に、当該右側側面壁に沿って配置されている。無線通信用基板２８は、板状をしており、その面に垂直な方向が左右方向（つまり、主走査方向）となるように配置されている。つまり、無線通信用基板２８は、搭載基板２７と直交するように配置されている。また、図２に示すように、長方形状をしており、その長辺方向が上下方向となり、その短辺方向が前後方向となるように配置されている。前後方向は、搭載基板に沿う方向で、且つ、長手方向と直交する方向の一例である。無線通信用基板２８は、無線通信用アンテナの一例である。
【００３７】
図４に示すように、無線通信用基板２８は、アンテナ３０とモジュール部３３とを含む。アンテナ３０は、携帯端末との間で無線信号を送受信するインターフェイスであり、無線信号を受信するための配線が面状に配置され、無線信号を受信可能な受信面３１と、無線信号を送信するための配線が面状に配置され、無線信号を送信可能な送信面３２を有する。モジュール部３３は、アンテナ３０の受信面３１を構成する配線、及び、送信面３２を構成する配線に各々接続され、無線信号の送受信を制御する回路が形成されている。なお、図４のアンテナ３０の配線の形状は、一例に過ぎない。
【００３８】
図２に拡大して示すように、受信面３１は、筺体１０の右側側面壁側の無線通信用基板２８の表面２８Ａに配置されている。一方、送信面３２は、筺体１０の内部側を向いた無線通信用基板２８の裏面２８Ｂに配置されている。無線通信用基板２８において、受信面３１と送信面３２は、モジュール部３３よりも上方に配置されており、前後方向において重ならないように配置されている。詳細には、受信面３１は、無線通信用基板２８の表面２８Ａにおいて、上方前側に配置されており、送信面３２は、無線通信用基板２８の裏面２８Ｂにおいて、上方後側に配置されている。
【００３９】
無線通信用基板２８は、筺体１０の右側側面壁の下方後側に配置されており、無線通信用基板２８の送受信面３１、３２は、前後方向において、読取部２４、２５及び搬送ローラ２３と重ならない位置、つまり、読取部２４、２５及び搬送ローラ２３よりも後側に配置されている。
【００４０】
また、無線通信用基板２８の送受信面３１、３２は、上下方向において、搭載基板２７と重ならない位置、つまり、搭載基板２７よりも上方に配置されている。詳細には、図５に示すように、送受信面３１、３２は、搭載基板２７の上面側に搭載された比較的背の高い電子部品よりも上側に配置されている（図６二点鎖線参照）。
【００４１】
筺体１０の上面には、タッチパネル６５が設けられている。タッチパネル６５は、例えば、液晶表示部（ＬＣＤ）を含み、画像読取装置１の状況を表示する。この場合、タッチパネル６５は表示部８（図４参照）として機能する。上面カバー９には、タッチパネル６５に対応する位置に開口６６が設けられており、上面カバー９が閉状態であってもタッチパネル６５を外部に露出させている。また、タッチパネル６５には、各種ボタンが表示されており、使用者からの指令を受け付ける。この場合、タッチパネル６５は操作部７（図４参照）として機能する。タッチパネル６５は、表示パネルの一例である。
【００４２】
タッチパネル６５の直下には、表示基板２９が配置されている。つまり、表示基板２９は、上下方向において、搭載基板２７と逆側である筺体１０の上面側に配置されている。表示基板２９は、板状をしており、本体部３の上面と平行に配置されている。表示基板２９は、タッチパネル６５に接続されており、表示部８として機能するタッチパネル６５を駆動する回路が形成されている。なお、本明細書において、「平行」とは、完全に平行な場合だけでなく、平行に近い状態も含むものとする。
【００４３】
モータＭは、図３に示すように、左右方向において、無線通信用基板２８と逆側である筺体１０の左側の端部に配置されており、各種ローラに接続されている。モータＭは、図６に示すように、筺体１０の底面側に配置され、同じく筺体１０の底面側に配置される搭載基板２７の左側に配置されている。
【００４４】
２．本実施形態の効果
（１）本実施形態の画像読取装置１では、搭載基板２７と無線通信用基板２８とが直交して配置され、平行に配置されない。図６に示すように、搭載基板２７と無線通信用基板２８とが平行に配置される場合、搭載基板２７と無線通信用基板２８の面同士が隣接するので、隣接する面の間に搭載基板２７と無線通信用基板２８とを接続する領域を確保しやすい。そのため、比較的面積が広く、比較的背の低いコネクタ６７を用いて搭載基板２７と無線通信用基板２８とを安定した姿勢で接続することができる。
【００４５】
この場合、無線通信用基板２８の送受信面３１、３２は、上下方向において、搭載基板２７と重なる位置に配置される。そのため、搭載基板２７に搭載された電子部品から発生された電磁波が無線通信用基板２８の送受信面３１、３２によって受信された場合、無線通信用基板２８に送受信される信号にノイズが生じ、通信状態が悪化する問題が生じていた。また、無線通信用基板２８の送受信面３１、３２に送受信される無線信号が搭載基板２７や搭載基板２７に搭載された電子部品の金属部によって遮られた場合、無線通信用基板２８に送受信される信号の強度が弱まり、通信状態が悪化する問題が生じていた。
【００４６】
本実施形態の画像読取装置１では、搭載基板２７と無線通信用基板２８とが直交して配置される。そのため、搭載基板２７と無線通信用基板２８とが平行に配置される場合に比べて、無線通信用基板２８を搭載基板２７から離れた位置に配置しやすい。
例えば、無線通信用基板２８のアンテナ３０の送受信面３１、３２が基板用電源部１４、ＣＰＵ１１等の電子部品が近い位置にあると、送受信面３１、３２がその電子部品が発する電磁波を受信するという悪影響がある。しかし、本実施形態の画像読取装置では、図５のようにアンテナ３０の送受信面３１、３２に基板用電源部１４等の電子部品が近い位置にあっても、基板用電源部１４等の電子部品より上方にアンテナ３０の送受信面３１、３２が配置されている。その為、本実施形態の画像読取装置では、基板用電源部１４等の電子部品から発生された電磁波が送受信面３１、３２によって受信されにくくすることができる。無線通信用基板２８の送受信面３１、３２に送受信される無線信号が搭載基板２７や搭載基板２７に搭載された電子部品の金属部によって遮られにくくすることができる。
【００４７】
（２）特に、本実施形態の画像読取装置１では、無線通信用基板２８において、送受信面３１、３２をモジュール部３３よりも上方に配置し、上下方向において、無線通信用基板２８の送受信面３１、３２を搭載基板２７の上面側に搭載された電子部品よりも上方に配置する。これによって、無線通信用基板２８の送受信面３１、３２に送受信される無線信号、特に無線通信用基板２８の送受信面３１、３２に垂直な方向から送受信される無線信号が、搭載基板２７や搭載基板２７に搭載された電子部品の金属部によって遮られることを抑制し、通信状態が悪化するのを抑制することができる。
【００４８】
（３）この結果、通信状態の方向依存性も改善が見られた。図７に、本実施形態の画像読取装置１を用いて測定された通信状態の方向依存性を示す。通信状態の方向依存性の測定では、画像読取装置１から前側、後側、右側、左側の４つの側面側に一定距離ＬＫ離れた地点における通信強度を測定する。そして、通信強度が規定値以上である場合には、無線端末を用いて画像読取装置１と無線通信を行うことができる（○）と判断し、通信強度が規定値よりも小さい場合には、無線端末を用いて画像読取装置１と無線通信を行うことが困難である（×）と判断する。図８には、比較として、図６の画像読取装置１を用いて測定された通信状態の方向依存性を示す。
【００４９】
図８に示すように、図６の画像読取装置１では、無線通信用基板２８の送信面３２に比較的近い画像読取装置１の前側の通信状態が良かったものの、無線通信用基板２８のその他の側面側の通信状態が良くなかった。その一方、図７に示すように、本実施形態の画像読取装置１では、無線通信用基板２８の４つ側面側の全てにおいて、通信状態が良かった。これは、上記したように、搭載基板２７や搭載基板２７に搭載された電子部品の金属部によって遮られることが抑制されたことによるものである。
【００５０】
（４）本実施形態の画像読取装置１では、前後方向において、無線通信用基板２８の送受信面３１、３２を読取部２４、２５及び搬送ローラ２３と重ならない位置に配置する。読取部２４、２５では、その外部ケースや内部の基板等に金属が用いられおり、搬送ローラ２３では、その軸に金属が用いられている。この画像読取装置１では、前後方向において、無線通信用基板２８の送受信面３１、３２を読取部２４、２５及び搬送ローラ２３と重ならない位置に配置することで、無線通信用基板２８の送受信面３１、３２に送受信される無線信号が、読取部２４、２５及び搬送ローラ２３の金属部によって遮られることを抑制することができる。
【００５１】
（５）本実施形態の画像読取装置１では、左右方向において、無線通信用基板２８の送受信面３１、３２をモータＭと逆側に配置する。モータＭの内部には、コイルや磁石等に金属が用いられている。この画像読取装置１では、左右方向において、無線通信用基板２８の送受信面３１、３２をモータＭから離して配置することで、無線通信用基板２８の送受信面３１、３２に送受信される無線信号が、モータＭの金属部によって遮られることを抑制することができる。
【００５２】
（６）本実施形態の画像読取装置１では、筺体１０内において、表示基板２９が筺体１０の上面側に配置され、搭載基板２７が筺体１０の底面側に配置されている。タッチパネル６５は、筺体１０の上面に設けられたほうが使用者にとっては利便性が良い。そのため、タッチパネル６５の表示を制御する表示基板２９は、タッチパネル６５の表示特性を高く維持するために、タッチパネル６５の直下に配置され、搭載基板２７をタッチパネル６５に近接して、つまり、筺体１０の上面側に配置しずらい。。
【００５３】
この画像読取装置では、タッチパネル６５を筺体１０の上面に設ける一方、搭載基板２７を筺体１０の底面側に設ける。これにより、利便性がよく、且つ、基板２７、２９の金属部の相互干渉の影響が抑制された画像読取装置１を実現することができる。
【００５４】
＜他の実施形態＞
本発明は上記記述及び図面によって説明した実施形態に限定されるものではなく、例えば次のような種々の態様も本発明の技術的範囲に含まれる。
（１）上記実施形態では、画像読取装置１を用いて説明を行ったが、本発明はこれに限られず、少なくともスキャナ機能を備えていれば、プリンタ機能やコピー機能、ファクシミリ機能等の他の機能を備えた複合機に適用されても良い。さらには、スキャナ機能を備えている必要もない。少なくとも、搭載基板２７と無線通信用基板２８を備えている装置であれば、搭載基板２７と無線通信用基板２８を上記のように配置することで、通信状態の悪化を抑制する効果を得ることができる。
【００５５】
（２）上記実施形態では、搭載基板２７に１つのＣＰＵ１１が搭載されている例を用いて説明を行ったが、複数のＣＰＵ１１が搭載されていてもよい。さらには、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハード回路が搭載されていてもよい。
【００５６】
（３）また、ＣＰＵ１１が実行するプログラムは必ずしもＲＯＭ１２に記憶されている必要はなく、ＣＰＵ１１自身に記憶されていてもよければ、他の記憶装置に記憶されていても良い。
【００５７】
（４）上記実施形態では、無線通信用基板２８が搭載基板２７の上面側に配置される例を用いて説明を行ったが、搭載基板２７が筺体１０内の上方に配置されている場合には、無線通信用基板２８は搭載基板２７の下面側に配置されてもよい。この場合、無線通信用基板２８において、送受信面３１、３２をモジュール部３３よりも下方に配置するのが好ましく、上下方向において、無線通信用基板２８の送受信面３１、３２を搭載基板２７の下面側に搭載された電子部品よりも下方に配置するのが好ましい。
【符号の説明】
【００５８】
１：画像読取装置、１０：筺体、２３：搬送ローラ、２４、２５：読取部、２６：搬送部、２７：搭載基板、２８：無線通信用基板、２９：表示基板、３０：アンテナ、３１：受信面、３２：送信面、３３：モジュール部、６５：タッチパネル、６７：コネクタ、Ｄ１：搬送方向、Ｄ２：主走査方向、ＬＫ：一定距離、Ｍ：モータ
【図１】
2014195199.tif 000003
【図２】
2014195199.tif 000004
【図３】
2014195199.tif 000005
【図４】
2014195199.tif 000006
【図５】
2014195199.tif 000007
【図６】
2014195199.tif 000008
【図７】
2014195199.tif 000009
【図８】
2014195199.tif 000010